(57)【要約】【課題】  入力された画像を記憶装置に登録するにあたり、当該画像に対応付ける属性値を簡易に指定できるようにする。【解決手段】  対象物画像を表示した文書の印刷物（指示書）に対し、その対象物画像における部分領域を範囲指定する描画を利用者が行った後にスキャナ２に読み込ませると、スキャナ２により指示書画像が生成されて画像登録装置１に送信される。画像登録装置１は、画像受付部１３により指示書画像を受け付けると、イメージ解析部１４が、対象物画像特定部１５で当該指示書画像に含まれる対象物画像を特定し、部分領域特定部１６で当該対象物画像に対する描画により範囲指定された部分領域を特定し、属性値取得部１７で当該部分領域に応じた属性値を取得する。その後、文書登録部１８が、前記受け付けた指示書画像を、前記取得した属性値を対応付けて文書管理システム３に登録する。【選択図】  図１
2009053737.tif 000002
【特許請求の範囲】
【請求項１】
対象物を表現した対象物画像に設定された部分領域と当該部分領域について予め定義した属性値とを対応付けて保持する保持手段と、
対象物画像を表示し且つ当該対象物画像を区切る描画により部分領域が範囲指定された文書画像の入力を受け付ける受付手段と、
前記受け付けた文書画像中の対象物画像に対する描画により範囲指定された部分領域に対応する属性値を、前記保持手段を参照して取得する取得手段と、
前記受け付けた文書画像を、前記取得した属性値を対応付けて記憶装置に登録する登録手段と、
を備えたことを特徴とする画像登録装置。
【請求項２】
前記取得手段は、複数の部分領域が範囲指定された文書画像の入力を前記受付手段により受け付けた場合に、範囲指定された複数の部分領域にそれぞれ対応する複数の属性値を取得し、
前記登録手段は、前記受け付けた文書画像を、前記取得した複数の属性値を対応付けて記憶装置に登録することを特徴とする請求項１に記載の画像登録装置。
【請求項３】
前記対象物画像には、大きさの異なる部分領域が重複して設定されており、
前記取得手段は、大きい部分領域が範囲指定された場合に、当該部分領域に対応する属性値を、当該部分領域に内包された各部分領域に対応する属性値に優先して取得することを特徴とする請求項１又は請求項２に記載の画像登録装置。
【請求項４】
前記登録手段は、前記文書画像中の描画がなされた対象物画像を、前記取得した属性値を対応付けて記憶装置に登録することを特徴とする請求項１乃至請求項３のいずれか１項に記載の画像登録装置。
【請求項５】
前記受付手段は、前記文書画像の入力に対応して他の文書画像の入力を受け付けており、
前記処理手段は、前記文書画像に代えて又は前記文書画像と共に、前記他の文書画像を、前記取得した属性値を対応付けて記憶装置に登録することを特徴とする請求項１乃至請求項４のいずれか１項に記載の画像登録装置。
【請求項６】
コンピュータに、
対象物を表現した対象物画像に設定された部分領域と当該部分領域について予め定義した属性値とを対応付けた属性情報を保持する保持機能と、
対象物画像を表示し且つ当該対象物画像を区切る描画により部分領域が範囲指定された文書画像の入力を受け付ける受付機能と、
前記受け付けた文書画像中の対象物画像に対する描画により範囲指定された部分領域に対応する属性値を、前記属性情報を参照して取得する取得機能と、
前記受け付けた文書画像を、前記取得した属性値を対応付けて記憶装置に登録する登録機能と、
を実現させるための画像登録プログラム。
【発明の詳細な説明】
【技術分野】
【０００１】
本発明は、入力された画像を記憶装置に登録する画像登録装置、画像登録プログラムに関する。
【背景技術】
【０００２】
従来、スキャン（或いはＦＡＸ等）により入力された紙媒体の指示書の画像から文字認識ボックスや文字列ＯＣＲを取得して解析し、その結果を属性値として、フォーム又は該フォームの下に重ねて入力された関連文書の画像に付与する文書登録システムが知られている。
この文書登録システムでは、付与された属性値を、文書のタイトル、キーワード、配信先のアドレスなどに指定して、文書管理システムへ登録する。このように、紙文書（指示書や関連文書）の画像に属性値を付与して登録することで、紙文書を電子化するだけでなく、必要な文書を容易に検索し、取り出すことが可能となる。
【０００３】
また、紙文書を用いたアンケートに係る発明として、アンケート用紙などの紙に筆記された軌跡を送信し、受信側において筆記領域を検出することにより、紙のどの領域に筆記されたか（アンケート内容）を迅速かつ容易に把握できる通信システムを実現する発明が提案されている（特許文献１参照）。
【特許文献１】特開２００２−０９２２５８号公報
【発明の開示】
【発明が解決しようとする課題】
【０００４】
上記の文書登録システムにおいて、指示書に対する手書き入力の便宜を図るために、図形を表示した指示書を用いる場合がある。例えば、医療で使うカルテでは体の絵を用い、その上に印を付けることで患部の場所を示すために用いる。また、例えば、車の修理依頼書などのように、傷や凹み等の部分を視覚的に示すために図を用いたりもする。このように、指示書に図形を用いることで、文字だけで表すよりも視覚的で分かり易い表示が可能になる。
【０００５】
しかしながら、指示書に図形を用いる場合、その図はあくまで目視のためだけのものであった。したがって、例えば、その図形上にチェックした箇所に係るキーワードを属性として付与し、そのキーワードから図形部分を検索可能にする場合には、文書管理システムなどのリポジトリに文書を登録した後、手動で属性を設定する必要があった。そして、文書管理システムに文書を登録する場合においては、大量の文書を登録することが想定され、手動でキーワードなどを入力するには膨大な工数がかかってしまう。また、手動で入力するため、タイプミスなども懸念される。
【０００６】
他の方法として、指示書上の図形の上に既存のチェックボックスを複数定義し、その上にチェックを行う方法も考えられるが、その方法では指定したい箇所が複数存在する場合、複数回のチェックが必要となって利用者の作業が複雑になるとともに、図形が見づらくなってしまうという問題がある。
【０００７】
本発明は、上記従来の事情に鑑みなされたものであり、入力された画像を記憶装置に登録するにあたり、当該画像に対応付ける属性値を簡易に指定できるようにすることを目的としている。
【課題を解決するための手段】
【０００８】
請求項１に記載の本発明は、対象物を表現した対象物画像に設定された部分領域と当該部分領域について予め定義した属性値とを対応付けて保持する保持手段と、対象物画像を表示し且つ当該対象物画像を区切る描画により部分領域が範囲指定された文書画像の入力を受け付ける受付手段と、前記受け付けた文書画像中の対象物画像に対する描画により範囲指定された部分領域に対応する属性値を、前記保持手段を参照して取得する取得手段と、前記受け付けた文書画像を、前記取得した属性値を対応付けて記憶装置に登録する登録手段と、を備えたことを特徴とする画像登録装置である。
【０００９】
請求項２に記載の本発明は、請求項１に記載の画像登録装置において、前記取得手段は、複数の部分領域が範囲指定された文書画像の入力を前記受付手段により受け付けた場合に、範囲指定された複数の部分領域にそれぞれ対応する複数の属性値を取得し、前記登録手段は、前記受け付けた文書画像を、前記取得した複数の属性値を対応付けて記憶装置に登録することを特徴とする。
【００１０】
請求項３に記載の本発明は、請求項１又は請求項２に記載の画像登録装置において、前記対象物画像には、大きさの異なる部分領域が重複して設定されており、前記取得手段は、大きい部分領域が範囲指定された場合に、当該部分領域に対応する属性値を、当該部分領域に内包された各部分領域に対応する属性値に優先して取得することを特徴とする。
【００１１】
請求項４に記載の本発明は、請求項１乃至請求項３のいずれか１項に記載の画像登録装置において、前記登録手段は、前記受け付けた文書画像中の描画がなされた対象物画像を、前記取得した属性値を対応付けて記憶装置に登録することを特徴とする。
【００１２】
請求項５に記載の本発明は、請求項１乃至請求項４のいずれか１項に記載の画像登録装置において、前記受付手段は、前記文書画像の入力に対応して他の文書画像の入力を受け付けており、前記処理手段は、前記文書画像に代えて又は前記文書画像と共に、前記他の文書画像を、前記取得した属性値を対応付けて記憶装置に登録することを特徴とする。
【００１３】
請求項６に記載の本発明は、コンピュータに、対象物を表現した対象物画像に設定された部分領域と当該部分領域について予め定義した属性値とを対応付けた属性情報を保持する保持機能と、対象物画像を表示し且つ当該対象物画像を区切る描画により部分領域が範囲指定された文書画像の入力を受け付ける受付機能と、前記受け付けた文書画像中の対象物画像に対する描画により範囲指定された部分領域に対応する属性値を、前記属性情報を参照して取得する取得機能と、前記受け付けた文書画像を、前記取得した属性値を対応付けて記憶装置に登録する登録機能と、を実現させるための画像登録プログラムである。
【発明の効果】
【００１４】
請求項１に記載の画像登録装置によると、表示された対象物画像を区切る描画がなされた文書画像が、その描画により範囲指定されたOLE_LINK1部分OLE_LINK1領域に係る属性値を対応付けて登録されるため、例えば、部分領域を線分で囲んだり色付けしたりといったように、指定する部分領域を他の領域に対して区切る描画を行うという簡易な操作で、文書画像に対応付ける属性値を簡易に指定することができる。
【００１５】
請求項２に記載の画像登録装置によると、複数の部分領域を包含して範囲指定する描画を行うことにより、各部分領域に係る属性値のそれぞれを文書画像に対応付けることができる。
【００１６】
請求項３に記載の画像登録装置によると、複数の部分領域を包含して範囲指定する描画を行うことにより、各部分領域に係る属性値を総括した属性値を文書画像に対応付けることができる。
【００１７】
請求項４に記載の画像登録装置によると、文書画像中の描画がなされた対象物画像に対して属性値を対応付けることができる。
【００１８】
請求項５に記載の画像登録装置によると、文書画像に対応して入力された他の文書画像に対して属性値を対応付けることができる。
【００１９】
請求項６に記載の画像登録プログラムによると、上記の画像登録装置をコンピュータにより実現することができる。
【発明を実施するための最良の形態】
【００２０】
本発明を、以下に例示する実施形態に基づいて具体的に説明する。
図１は、本例に係る画像登録装置１の機能ブロック図を示している。
本例に係る画像登録装置１は、対象物画像の情報を保持する対象物画像保持部１１、対象物画像における部分領域毎の属性値の情報を保持する属性情報保持部１２、対象物画像を表示し且つ当該対象物画像を区切る描画により部分領域が範囲指定された指示書の画像の入力をスキャナ２等から受け付ける画像受付部１３、指示書画像を解析して当該指示書画像に対応付ける属性値を取得するイメージ解析部１４、前記取得した属性値を対応付けた指示書画像を文書管理システム３に登録する文書登録部１８、を備えている。
【００２１】
すなわち、対象物画像を表示した文書の印刷物（指示書）に対し、その対象物画像における部分領域を範囲指定する描画（例えば、線分で囲む等により対象物画像を区切る）を利用者が行った後にスキャナ２に読み込ませると、スキャナ２により画像化された指示書が画像登録装置１に送信されて、範囲指定された部分領域に応じた属性値を対応付けた指示書画像が文書管理システム３に登録される。
【００２２】
対象物画像は、或る対象物を表現した画像であり、その対象物画像において、対象物を構成する各構成要素に該当する画像部分を部分領域として設定し、その要素を示す属性値を予め定義して該部分領域に対応付けている。例えば、医療分野で診断に用いるカルテ（指示書）では、人体の外観を示す図を対象物画像に用い、人体の構成要素の一つである「首」に該当する画像部分（部分領域）に属性値“首”を対応付けている。
【００２３】
なお、本例では、対象物画像に対して、大きさの異なる部分領域を重複して設定している。すなわち、例えば図３に示すように、人体の構成要素である「右腕」は、更に「右肘」、「右手首」、「右手」等を構成要素として有しており、この場合、対象物画像における「右肘」、「右手首」、「右手」に該当する各部分領域に属性値“右肘”、“右手首”、“右手”を対応付けると共に、これらを内包する「右腕」に該当する部分領域に属性値“右腕”を対応付けている。これにより、後述するように、「右腕」全体を範囲指定する描画がなされた場合には、「右腕」の各構成要素の属性値“右肘”、“右手首”、“右手”に優先して、属性値“右腕”を指示書画像に対応付けるようにしている。
【００２４】
対象物画像保持部１１は、図２（ａ）に示すように、各対象物画像を識別する対象物画像ＩＤと、該対象物画像の実データである対象物画像データと、を組にした対象物画像情報を保持している。
属性情報保持部１２は、図２（ｂ）に示すように、対象物画像ＩＤと、該対象物画像に設定された各部分領域を特定する部分領域データ（例えば、対象物画像における部分領域を構成する座標値群）と、該部分領域について予め定義された属性値と、を組にした属性情報を保持している。
【００２５】
イメージ解析部１４は、指示書画像に対応付ける属性値を取得するために、対象物画像特定部１５、部分領域特定部１６、属性値取得部１７、を備えている。
【００２６】
対象物画像特定部１５は、画像受付部１３で受け付けた指示書画像に含まれる対象物画像を特定する。対象物画像の特定は種々の手法により行うことができ、例えば、指示書中に該指示書が含む対象物画像を特定する情報を埋め込んでおく、対象物画像を特定する二次元バーコード画像等を該対象物画像中に含めておく、指示書画像中の部分画像と対象物画像保持部１１中の対象物画像との同一性を判断する、等により行うことができる。
【００２７】
部分領域特定部１６は、対象物画像特定部１５で特定した指示書画像中の対象物画像（描画あり）と対象物画像保持部１１中の対象物画像（描画なし）とを比較して描画内容（線分の軌跡）を抽出し、描画により範囲指定された部分領域を属性情報保持部１２を参照して特定する。
【００２８】
属性値取得部１７は、部分領域特定部１６で特定した部分領域について予め設定された属性値を属性情報保持部１２から取得する。部分領域特定部１６にて複数の部分領域を特定した場合には、各部分領域にそれぞれ対応する複数の属性値を取得する。また、特定した複数の部分領域のうち、或る部分領域が他の部分領域に内包されている場合には、他の部分領域に対応する属性値を優先して取得する。
【００２９】
すなわち、例えば、「右腕」の部分領域が特定される場合には、これに内包される「右肘」、「右手首」、「右手」の各部分領域が必然的に特定されるが、この場合は「右腕」の部分領域に対応する属性値“右腕”を、属性値“右肘”、“右手首”、“右手”に優先して取得する。ここで、優先して取得とは、属性値“右腕”のみを取得する形態のほか、属性値“右腕”の取得に併せて、各属性値“右肘”、“右手首”、“右手”を属性値“右腕”に従属する二次的な属性値として取得する形態も含む。なお、本例では、属性値“右腕”のみを取得する形態を採用している。
【００３０】
文書登録部１８は、画像受付部１３で受け付けた指示書画像を、属性値取得部１７で取得した属性値を対応付けて文書管理システム３に登録する。なお、指示書画像と属性値との対応付けは、指示書画像自体に属性値を付加することで対応付けてもよく、指示書画像と属性値との対応関係を示す関係情報により対応付けてもよい。また、属性値に示された格納先に指示書画像を登録することで、指示書画像と属性値とを対応付けてもよい。
【００３１】
図４は、本例に係る画像登録処理のフローを示している。
対象物画像を表示した文書の印刷物（指示書）に対し、その対象物画像における部分領域を範囲指定する描画（例えば、線分で囲む等により対象物画像を区切る）を利用者が行った後にスキャナ２に読み込ませると、スキャナ２により指示書画像が生成されて画像登録装置１に送信される（ステップＳ１）。
【００３２】
画像登録装置１は、画像受付部１３により指示書画像を受け付けると、イメージ解析部１４が、対象物画像特定部１５で当該指示書画像に含まれる対象物画像を特定し（ステップＳ２）、部分領域特定部１６で当該対象物画像に対する描画により範囲指定された部分領域を特定し（ステップＳ３）、属性値取得部１７で当該部分領域に応じた属性値を取得する（ステップＳ４）。その後、文書登録部１８が、前記受け付けた指示書画像を、前記取得した属性値を対応付けて文書管理システム３に登録する（ステップＳ５）。
【００３３】
次に、図５に示すように、人体の外観を模式的に表した対象物画像を印刷したカルテを、指示書として用いる場合を例に説明する。
（１）医師は、カルテ（指示書）の必要な箇所（氏名、症状など）に記入の上、患者の患部に該当する対象物画像中の領域を手書き描画により範囲指定する。
（２）カルテはスキャナ２にスキャンされて画像化され、そのカルテイメージ（指示書画像）が画像登録装置１のイメージ解析部１４に供給される。
【００３４】
（３）イメージ解析部１４では、対象物画像特定部１５によりカルテイメージから対象物画像を切り出す。図６は、手書き描画されたカルテの対象物画像部分を示しており、人体の外観を示す図形Ｍに対し、領域Ｒ１、Ｒ２が手書き描画により範囲指定されている。部分領域特定部１６は、図７に示すように領域Ｒ１、Ｒ２を抽出し、これら領域に含まれる部分領域を属性情報保持部１２を参照して特定する。属性値取得部１７は、領域Ｒ１、Ｒ２に含まれる部分領域に応じた属性値を属性情報保持部１２から取得する。つまり、図８に示すように、領域Ｒ１に含まれる部分領域「左肩」、「首」に応じた属性値を連結して“左肩と首”を取得し、領域Ｒ２に含まれる部分領域「右肘」、「右手首」、「右手」に応じた属性値を総括した“右腕”を取得する。
【００３５】
（４）イメージ解析部１４は、カルテイメージ（指示書画像）と、解析情報としての属性値（本例では“左肩と首”、“右腕”）とを、文書登録部１８に提供する。
（５）文書登録部１８は、解析情報（属性値）をカルテイメージ（指示書画像）と共に文書管理システム３に登録する。
【００３６】
なお、上記では、人体の外観を示す図形を対象物画像に用いたカルテ（指示書）を例に説明したが、他の対象物画像を用いることもできる。
例えば、図９に示すように、日本地図を対象物画像に用いた指示書に対して地域を範囲指定させる。同図では、「北海道」を含む範囲指定と、「関東」に属する「群馬」、「栃木」、「茨城」、「千葉」、「埼玉」、「東京」、「神奈川」の全てを範囲指定がなされており、属性値“北海道”、“関東”が指示書画像に対応付けられる。
また、例えば、図１０に示すように、車の上面図及び側面図を対象物画像に用いた指示書に対して修理依頼箇所を範囲指定させる。同図では、「フロントガラス」を含む範囲指定と、「フロントドア」及び「リアドア」を含む範囲指定がなされており、属性値“フロントガラス”、“フロントドア”及び“リアドア”が指示書画像に対応付けられる。
【００３７】
なお、本例では、属性値を指示書画像に対応付ける場合について説明したが、指示書画像中の対象物画像に対して属性値を対応付けてもよい。
また、画像受付部１３が指示書画像の入力に対応して他の文書画像の入力を受け付ける場合には、指示書画像に代えて又は指示書画像と共に、前記他の文書画像に対して属性値を対応付けてもよい。すなわち、例えば、指示書のスキャンに連続してスキャンした他の紙文書の画像に対して属性値を対応付ける。例えば、指示書により指定された他の文書画像に対して属性値を対応付ける。
【００３８】
また、画像受付部１３で受け付ける指示書画像の入力は、紙媒体の指示書をスキャナ２により画像化した指示書画像に限られず、対象物画像を含む文書画像を画面表示し、これに対するマウス操作等により部分領域を範囲指定する描画がなされた画像を、画像受付部１３にて指示書画像の入力として受け付けてもよい。
【００３９】
図１１は、本例の画像登録装置１の主要なハードウェア構成を示している。
すなわち、本例の画像登録装置１は、各種演算処理を行うＣＰＵ４１、ＣＰＵ４１の作業領域となるＲＡＭ４２、基本的な制御プログラムを記憶するＲＯＭ４３、本発明に係る各機能を実現するための画像登録プログラム等を記憶するＨＤＤ４４、スキャナ２や文書管理システム３との通信を行うための通信Ｉ／Ｆ４５、等のハードウェア資源を有するコンピュータで構成されている。
そして、本発明に係る画像登録プログラムをＨＤＤ４４から読み出してＲＡＭ４２に展開し、これをＣＰＵ４１により実行させることで、本発明に係る保持手段（属性情報保持１２）、受付手段（画像受付部１３）、取得手段（イメージ解析部１４）、登録手段（文書登録部１８）を、画像登録装置１のコンピュータに実現している。
【００４０】
なお、本発明に係る画像登録プログラムは、例えば、当該プログラムを記憶したＣＤ−ＲＯＭ等の外部記憶媒体を配布する形式や、ネットワークを介して配信する形式により、本発明の実施者に提供される。
また、本発明に係る各機能手段は、本例のようなソフトウェア構成により実現する態様に限られず、それぞれ専用のハードウエアモジュールで構成してもよい。
また、本発明に係る各機能手段は、本例のように１台のコンピュータに設ける態様に限られず、複数台のコンピュータに分散して設けてもよい。
【図面の簡単な説明】
【００４１】
【図１】本発明の一例に係る画像登録装置の機能ブロック図である。
【図２】本発明の一例に係る対象物画像情報及び属性情報を示す図である。
【図３】本発明の一例に係る属性値の関連を説明する図である。
【図４】本発明の一例に係る画像登録処理の手順を示す図である。
【図５】本発明の一例に係る画像登録処理を概念的に示す図である。
【図６】本発明の一例に係る手書き描画後の対象物画像を示す図である。
【図７】本発明の一例に係る描画内容を抽出した図である。
【図８】本発明の一例に係る描画内容に応じた属性値を示す図である。
【図９】本発明の一例に係る指示書画像を示す図である。
【図１０】本発明の一例に係る指示書画像を示す図である。
【図１１】本発明の一例に係る画像登録装置のハードウェア構成図である。
【符号の説明】
【００４２】
１：画像登録装置、
２：スキャナ、
３：文書管理システム
１１：対象物画像保持部、
１２：属性情報保持部、
１３：画像受付部、
１４：イメージ解析部、
１５：対象物画像特定部、
１６：部分領域特定部、
１７：属性値取得部、
１８：文書登録部
【図１】
2009053737.tif 000003
【図２】
2009053737.tif 000004
【図３】
2009053737.tif 000005
【図４】
2009053737.tif 000006
【図５】
2009053737.tif 000007
【図６】
2009053737.tif 000008
【図７】
2009053737.tif 000009
【図８】
2009053737.tif 000010
【図９】
2009053737.tif 000011
【図１０】
2009053737.tif 000012
【図１１】
2009053737.tif 000013